(57)【要約】 【課題】製造が容易で、断線が生じにくく、かつ局所的な加熱が生じないようにする。【解決手段】合わせガラス１は、一対のガラス板３，４と、一対のガラス板の間に配置される導電性発熱体５と、を備える。導電性発熱体は、一対のガラス板の対向する二つの端辺に沿って延在する第１および第２電極６，７と、第１および第２電極の間にそれぞれ間隔を隔てて配置され、第１および第２電極と一体成形される複数の第１導電体８と、を有する。複数の第１導電体のそれぞれは、一端部が第１電極に接続され、他端部が第２電極に接続され、複数の第１導電体の短手方向の幅は第１および第２電極の短手方向の幅よりも小さい。【選択図】図１
2016141579.tif 000002
【特許請求の範囲】
【請求項１】
一対のガラス板と、
前記一対のガラス板の間に配置される導電性発熱体と、を備え、
前記導電性発熱体は、
前記一対のガラス板の対向する二つの端辺に沿って延在する第１および第２電極と、
前記第１および第２電極の間にそれぞれ間隔を隔てて配置され、前記第１および第２電極と一体成形される複数の第１導電体と、を有し、
前記複数の第１導電体のそれぞれは、一端部が前記第１電極に接続され、他端部が前記第２電極に接続され、前記複数の第１導電体の短手方向の幅は前記第１および第２電極の短手方向の幅よりも小さい、合わせガラス。
【請求項２】
前記複数の第１導電体の短手方向の幅は、前記複数の第１導電体の長手方向中央側よりも、前記一端部および前記他端部側の方が大きい請求項１に記載の合わせガラス。
【請求項３】
前記複数の第１導電体の短手方向の幅は、前記一端部および前記他端部側において、暫時に広がっている請求項２に記載の合わせガラス。
【請求項４】
前記第１および第２電極のそれぞれは、導電細線で囲まれた複数の開口部を有する請求項１乃至３のいずれかに記載の合わせガラス。
【請求項５】
前記第１および第２電極のそれぞれは、メッシュ状である請求項４に記載の合わせガラス。
【請求項６】
前記第１および第２電極に接触するように配置され、それぞれがベタ状の第３および第４電極を備える請求項４または５に記載の合わせガラス。
【請求項７】
前記複数の第１導電体は、前記第１および第２電極の長手方向に交差する方向に、略平行に配置されている請求項１乃至６のいずれかに記載の合わせガラス。
【請求項８】
前記複数の第１導電体のうち、少なくとも一部の隣接する２つの第１導電体同士を接続する第２導電体を備える請求項１乃至７のいずれかに記載の合わせガラス。
【請求項９】
前記導電性発熱体は、銅を含有する導電性材料にて一体成形される請求項１乃至８のいずれかに記載の合わせガラス。
【請求項１０】
前記導電性発熱体の第１主面と、一方の前記ガラス板と、に接合される第１接合層と、
前記導電性発熱体の前記第１主面とは反対側の第２主面と、他方の前記ガラス板と、に接合される第２接合層と、を備える請求項１乃至９のいずれかに記載の合わせガラス。
【請求項１１】
前記導電性発熱体を支持する透明基材と、
前記導電性発熱体の前記透明基材との接触面とは反対側の面と、一方の前記ガラス板と、に接合される第１接合層と、
前記透明基材と、他方の前記ガラス板と、に接合される第２接合層と、を備える請求項１乃至９のいずれかに記載の合わせガラス。
【請求項１２】
対向する二つの端辺に沿って延在する第１および第２電極と、
前記第１および第２電極の間にそれぞれ配置され、前記第１および第２電極と一体成形される複数の第１導電体と、を備え、
前記複数の第１導電体のそれぞれは、一端部が前記第１電極に接続され、他端部が前記第２電極に接続され、前記複数の第１導電体の短手方向の幅は前記第１および第２電極の短手方向の幅よりも小さい、導電性発熱体。
【発明の詳細な説明】
【技術分野】
【０００１】
本発明は、導電性発熱体と、その導電性発熱体を内蔵した合わせガラスとに関する。
【背景技術】
【０００２】
従来、車両のフロントウィンドウやリアウィンドウ等の窓ガラスに用いるデフロスタ装置として、窓ガラスに電熱線を組み込んだものが知られている。このようなデフロスタ装置では、窓ガラスに組み込まれた電熱線に通電し、その抵抗加熱により窓ガラスを昇温させて、窓ガラスの曇りを取り除いて、又は、窓ガラスに付着した雪や氷を溶かして、乗員の視界を確保することができる。
【０００３】
前述の電熱線としては、従来から種々の材料が用いられており、例えば、特許文献１には、基材上に銀塩感光層を露光し、現像して定着することによって、電熱線を形成することが開示されている。また、特許文献２には、電熱線をタングステンから形成することが開示されている。
【先行技術文献】
【特許文献】
【０００４】
【特許文献１】特開２０１２−１４９４５号公報
【特許文献２】特開平９−２０７７１８号公報
【発明の概要】
【発明が解決しようとする課題】
【０００５】
電熱線の両端側には、バスバー電極が配置され、バスバー電極間に電圧を印加することで、電熱線を加熱する。バスバー電極は、電熱線が形成された透明基材の上に配置されるか、あるいは、透明基材を剥離して、電熱線をその両側から挟み込むように配置される。
【０００６】
電熱線を透明基材上に形成するには、印刷や蒸着、スパッタリング、エッチングなどの手法が用いられるが、微細な構造の電熱線を形成するには、フォトリソグラフィとエッチングによる手法が優れている。
【０００７】
フォトリソグラフィとエッチングによる手法では、透明基材上に銅箔などの金属薄膜を形成し、その上にフォトレジストを配置して、露光および現像した後に、フォトレジストの上方からエッチング液を塗布して、金属薄膜をパターニングする処理が行われる。
【０００８】
フォトレジスト上のエッチング液は、フォトレジストの露光パターンに沿って、露光パターンの中央付近から両端部側に流れるため、露光パターンの中央部は古い腐食性に劣るエッチング液が滞留するのに対し、露光パターンの両端部側は常に腐食性に優れた新鮮なエッチング液に触れることになり、露光パターンの中央部よりも両端部側がよりエッチング処理が進行し、電熱線の線幅が中央部よりも両端側の方が細くなってしまう。
【０００９】
このため、バスバー電極との接続部分の電熱線が極端に細くなり、局所的な加熱が生じたり、あるいは、バスバー電極と電熱線とが接触しなくなって断線状態となり、電熱線を加熱できなくなるおそれがある。
【００１０】
本発明は、上述した課題に鑑みてなされたものであり、製造が容易で、断線が生じにくく、かつ局所的な加熱が生じない合わせガラスおよび導電性発熱体を提供することにある。
【課題を解決するための手段】
【００１１】
上記の課題を解決するために、本発明の一態様では、一対のガラス板と、
前記一対のガラス板の間に配置される導電性発熱体と、を備え、
前記導電性発熱体は、
前記一対のガラス板の対向する二つの端辺に沿って延在する第１および第２電極と、
前記第１および第２電極の間にそれぞれ間隔を隔てて配置され、前記第１および第２電極と一体成形される複数の第１導電体と、を有し、
前記複数の第１導電体のそれぞれは、一端部が前記第１電極に接続され、他端部が前記第２電極に接続され、前記複数の第１導電体の短手方向の幅は前記第１および第２電極の短手方向の幅よりも小さい、合わせガラスが提供される。
【００１２】
前記複数の第１導電体の短手方向の幅は、前記複数の第１導電体の長手方向中央側よりも、前記一端部および前記他端部側の方が大きくてもよい。
【００１３】
前記複数の第１導電体の短手方向の幅は、前記一端部および前記他端部側において、暫時に広がっていてもよい。
【００１４】
前記第１および第２電極のそれぞれは、導電細線で囲まれた複数の開口部を有していてもよい。
【００１５】
前記第１および第２電極のそれぞれは、メッシュ状であってもよい。
【００１６】
前記第１および第２電極に接触するように配置され、それぞれがベタ状の第３および第４電極を備えていてもよい。
【００１７】
前記複数の第１導電体は、前記第１および第２電極の長手方向に交差する方向に、略平行に配置されていてもよい。
【００１８】
前記複数の第１導電体のうち、少なくとも一部の隣接する２つの第１導電体同士を接続する第２導電体を備えていてもよい。
【００１９】
前記導電性発熱体は、銅を含有する導電性材料にて一体成形されてもよい。
【００２０】
前記導電性発熱体の第１主面と、一方の前記ガラス板と、に接合される第１接合層と、
前記導電性発熱体の前記第１主面とは反対側の第２主面と、他方の前記ガラス板と、に接合される第２接合層と、を備えてもよい。
【００２１】
前記導電性発熱体を支持する透明基材と、
前記導電性発熱体の前記透明基材との接触面とは反対側の面と、一方の前記ガラス板と、に接合される第１接合層と、
前記透明基材と、他方の前記ガラス板と、に接合される第２接合層と、を備えてもよい。
【００２２】
本発明の他の一態様では、対向する二つの端辺に沿って延在する第１および第２電極と、
前記第１および第２電極の間にそれぞれ配置され、前記第１および第２電極と一体成形される複数の第１導電体と、を備え、
前記複数の第１導電体のそれぞれは、一端部が前記第１電極に接続され、他端部が前記第２電極に接続され、前記複数の第１導電体の短手方向の幅は前記第１および第２電極の短手方向の幅よりも小さい導電性発熱体が提供される。
【発明の効果】
【００２３】
本発明によれば、製造が容易で、断線が生じにくく、かつ局所的な加熱が生じない合わせガラスおよび導電性発熱体を提供できる。
【図面の簡単な説明】
【００２４】
【図１】本発明の一実施形態による合わせガラス１の平面図。
【図２】図１の合わせガラスを乗用車のフロントウィンドウに適用した例を示す図。
【図３】合わせガラスの短手方向の両端辺に沿って２つのバスバー電極を配置した合わせガラスの平面図。
【図４】図１の線状導電体を連結する線状導電体を設ける例を示す図。
【図５】透明基材上に導電性発熱体が形成された発熱体シートを一対のガラス板の間に挟み込んだ場合の図１のＡ−Ａ線断面図。
【図６】（ａ）〜（ｅ）は導電性発熱体の製造工程を示す断面図。
【図７】線状導電体８の長手方向両端側の短手方向の幅を、両端側に近いほど暫時に広げた例を示す図。
【図８】バスバー電極をメッシュ状にした例を示す図。
【図９】図１のＢ−Ｂ線断面図。
【発明を実施するための形態】
【００２５】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２６】
なお、本明細書において、「板」、「シート」、「フィルム」の用語は、呼称の違いのみに基づいて、互いから区別されるものではない。例えば、「シート」は板やフィルムと呼ばれ得るような部材をも含む概念であり、したがって、「パターンシート」は、「パターン板（基板）」や「パターンフィルム」と呼ばれる部材と、呼称の違いのみにおいて区別され得ない。
【００２７】
また、「シート面（板面、フィルム面）」とは、対象となるシート状（板状、フィルム状）の部材を全体的かつ大局的に見た場合において対象となるシート状部材（板状部材、フィルム状部材）の平面方向と一致する面のことを指す。
【００２８】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２９】
図１は本発明の一実施形態による合わせガラス１の平面図である。図１の合わせガラス１は、車や列車、船舶等の各種の乗物のフロントウィンドウ、リアウィンドウ、サイドウィンドウなどに用いることができる。図２は、図１の合わせガラス１を乗用車のフロントウィンドウ２に適用した例を示している。
【００３０】
図１の合わせガラス１は、一対のガラス板３，４と、一対のガラス板３，４の間に配置される導電性発熱体５とを備えている。導電性発熱体５は、２つのバスバー電極（第１および第２電極）６，７と、複数の線状導電体（第１導電体）８とを有する。
【００３１】
図２の例では、２つのバスバー電極６，７は、合わせガラス１の長手方向の両端辺に沿って配置されているが、図３に示すように、合わせガラス１の短手方向の両端辺に沿って２つのバスバー電極６，７を配置してもよい。
【００３２】
複数の線状導電体８は、２つのバスバー電極６，７の間にそれぞれ配置されている。典型的な例では、複数の線状導電体８は、２つのバスバー電極６，７の間に、間隔を隔てて略平行に配置されている。複数の線状導電体８と２つのバスバー電極６，７とは、共通の導電材料により一体成形されている。導電材料としては、例えば、導電性に優れてエッチング処理が容易な銅が用いられる。後述するように、本実施形態では、フォトリソグラフィにて、複数の線状導電体８と２つのバスバー電極６，７とを一体的に形成する。導電性に優れて、かつフォトリソグラフィのエッチングで容易に加工可能な材料であれば、銅以外の導電性材料を用いてもよい。
【００３３】
２つのバスバー電極６，７間に所定の電圧を印加することにより、これらバスバー電極６，７間の複数の線状導電体８に電流が流れ、各線状導電体８の抵抗成分によって、各線状導電体８が加熱される。これにより、一対のガラス板３，４が温められて、これらガラス板に付着した結露による曇りを除去することができる。また、外側のガラス板に付着した雪や氷を溶かすこともできる。よって、乗物内の乗員の視界を良好に確保可能となる。このように、導電性発熱体５は、デフロスタ電極として機能する。
【００３４】
バスバー電極６，７には、電力損失なく各線状導電体８に電圧を印加する必要があるため、各バスバー電極６，７の短手方向の幅を、各線状導電体８の短手方向の幅よりも大きくしている。本実施形態は、銅の薄膜をエッチング処理してバスバー電極６，７と線状導電体８のパターンを形成するため、バスバー電極６，７用のパターン幅は、線状導電体８用のパターン幅よりも広く形成されている。
【００３５】
２つのバスバー電極６，７に印加される電圧は、例えば図２に示すように、乗物に搭載されるバッテリ９や電池などから供給される。
【００３６】
複数の線状導電体８と２つのバスバー電極６，７とが一体成形された導電性発熱体５は、透明基材１１の上に形成されている。この透明基材１１は、剥離されずにそのまま、一対のガラス板３，４の間に挟み込まれてもよいし、透明基材１１を剥離した導電性発熱体５のみを一対のガラス板３，４の間に挟み込んでもよい。本明細書では、導電性発熱体５が形成された透明基材１１を発熱体シート１２と呼ぶ。
【００３７】
ところで、各線状導電体８は、バスバー電極６，７に比べて細いため、断線が生じやすい。そこで、図４に示すように、隣接する２つの線状導電体８同士を連結する別個の線状導電体（第２導電体）９を設けてもよい。この線状導電体９の数および配置場所は、線状導電体８の長さや幅等に応じて、任意に設定すればよい。
【００３８】
本実施形態では、複数の線状導電体８をエッチング処理で形成することを念頭に置いているため、例えば、作製したい線状導電体８の形状に合致するフォトマスクを用意することで、任意の蛇行形状の線状導電体８を形成でき、線状導電体８の形状が複雑であっても、特に製造が困難になることはない。
【００３９】
図５は透明基材１１上に導電性発熱体５が形成された発熱体シート１２を一対のガラス板３，４の間に挟み込んだ場合の図１のＡ−Ａ線断面図である。図５の場合、湾曲した一方のガラス板３の上に、接合層（第１の接合層）１３を介して、発熱体シート１２の透明基材１１が接合されている。発熱体シート１２の導電性発熱体５の上には、接合層（第２の接合層）１４を介して、他方のガラス板４が接合されている。
【００４０】
発熱体シート１２の透明基材１１と導電性発熱体５はともに十分に薄いため、発熱体シート１２自体が柔軟性を備えており、湾曲したガラス板３，４の湾曲形状に沿って発熱体シート１２を湾曲させた状態で、ガラス板３，４に安定的に接合することができる。
【００４１】
ガラス板３，４は、特に乗物のフロントウィンドウ２に用いる場合、乗員の視界を妨げないよう可視光透過率が高いものを用いることが好ましい。このようなガラス板３，４の材質としては、ソーダライムガラスや青板ガラス等が例示できる。ガラス板３，４は、可視光領域における透過率が９０％以上であることが好ましい。ここで、ガラス板３，４の可視光透過率は、分光光度計（例えば、（株）島津製作所製「ＵＶ−３１００ＰＣ」、ＪＩＳＫ０１１５準拠品）を用いて測定波長３８０ｎｍ〜７８０ｎｍの範囲内で測定したときの、各波長における透過率の平均値として特定される。なお、ガラス板３，４の一部または全体に着色するなどして、可視光透過率を低くしてもよい。この場合、太陽光の直射を遮ったり、車外から車内を視認しにくくしたりすることができる。
【００４２】
また、ガラス板３，４は、１ｍｍ以上５ｍｍ以下の厚みを有していることが好ましい。このような厚みであると、強度及び光学特性に優れたガラス板３，４を得ることができる。
【００４３】
ガラス板３，４と、透明基材１１上に形成された導電性発熱体５とは、それぞれ接合層１３，１４を介して接合されている。このような接合層１３，１４としては、種々の接着性または粘着性を有した材料からなる層を用いることができる。また、接合層１３，１４は、可視光透過率が高いものを用いることが好ましい。典型的な接合層１３，１４としては、ポリビニルブチラール（ＰＶＢ）からなる層を例示することができる。接合層１３，１４の厚みは、それぞれ０．１５ｍｍ以上０．７ｍｍ以下であることが好ましい。
【００４４】
なお、合わせガラス１には、図示された例に限られず、特定の機能を発揮することを期待されたその他の機能層が設けられても良い。また、一つの機能層が二以上の機能を発揮するようにしてもよいし、例えば、合わせガラス１のガラス板３，４、接合層１３，１４や、透明基材１１の少なくとも１つに種々の機能を付与してもよい。例えば、反射防止（ＡＲ）機能、耐擦傷性を有したハードコート（ＨＣ）機能、赤外線遮蔽（反射）機能、紫外線遮蔽（反射）機能、偏光機能、防汚機能等が一例として挙げられる。
【００４５】
透明基材１１は、導電性発熱体５を支持する基材として機能する。透明基材１１は、可視光線波長帯域の波長（３８０ｎｍ〜７８０ｎｍ）を透過する一般に言うところの透明である電気絶縁性の基板であって、熱可塑性樹脂を含んでいる。
【００４６】
透明基材１１に主成分として含まれる熱可塑性樹脂としては、可視光を透過する熱可塑性樹脂であればいかなる樹脂でもよいが、例えば、ポリメチルメタクリレート等のアクリル樹脂、ポリプロピレン等のポリオレフィン樹脂、ポリエチレンテレフタレートやポリエチレンナフタレート等のポリエステル樹脂、トリアセチルセルロース（三酢酸セルロース）等のセルロース系樹脂、ポリ塩化ビニル、ポリスチレン、ポリカーボネート樹脂、ＡＳ樹脂等を挙げることができる。とりわけ、アクリル樹脂やポリエチレンテレフタレートは、光学特性に優れ、成形性が良いので好ましい。
【００４７】
また、透明基材１１は、製造中の導電性発熱体５の保持性や、光透過性等を考慮すると、０．０２ｍｍ以上０．２０ｍｍ以下の厚みを有していることが好ましい。
【００４８】
図６は導電性発熱体５の製造工程を示す断面図であり、図１のＡ−Ａ線方向の断面構造を示している。まず、図６（ａ）に示すように、透明基材１１上に銅の薄膜２１を形成する。この薄膜２１は、電界銅箔や圧延銅箔、スパッタリング、真空蒸着などにより形成可能である。
【００４９】
次に、図６（ｂ）に示すように、銅の薄膜２１の上面をフォトレジスト２２で覆う。フォトレジスト２２は、例えば特定波長域の光、例えば紫外線に対する感光性を有する樹脂層である。この樹脂層は、樹脂フィルムを貼着して形成してもよいし、流動性の樹脂をコーティングすることにより形成してもよい。また、フォトレジスト２２の具体的な感光特性は特に限られない。例えば、レジスト層４８として、光硬化型の感光材が用いられてもよく、若しくは、光溶解型の感光材が用いられてもよい。
【００５０】
続いて、図６（ｃ）に示すように、フォトレジスト２２をパターニングして、レジストパターン２３を形成する。フォトレジスト２２をパターニングする方法としては、公知の種々の方法を採用することができるが、この例では、フォトレジスト２２として、特定波長域の光、例えば紫外線に対する感光性を有する樹脂層を用い、公知のフォトリソグラフィー技術を用いてパターニングしている。まず、フォトレジスト２２上に、パターン化したい部分を開口したマスク、又は、パターン化したい部分を遮蔽したマスクを配置し、このマスクを介してフォトレジスト２２に紫外線を照射する。その後、紫外線がマスクにより遮蔽された部分、又は、紫外線が照射された部分を現像等の手段により除去する。これにより、パターニングされたレジストパターン２３を形成することができる。マスクを用いないレーザーパターニング法を用いることもできる。
【００５１】
次に、図６（ｄ）に示すように、レジストパターン２３の上方からウェットエッチング用のエッチング液を噴射して、レジストパターン２３で覆われていない銅の薄膜２１をエッチング除去し、レジストパターン２３で覆われた領域のみ、銅の薄膜２１を残す。次に、図６（ｅ）に示すように、レジストパターン２３を剥離することで、複数の線状導電体８と２つのバスバー電極６，７とが作製される。
【００５２】
なお、パターニングした銅の薄膜２１の表面や、あるいは銅の薄膜２１の下面側に、導電性発熱体５の反射率を抑制するための暗色層を形成してもよい。暗色層を形成することで、外光が線状導電体８やバスバー電極６，７の表面に照射された場合の反射光を抑制でき、チラツキの発生を抑制できる。
【００５３】
バスバー電極６，７を一体成形せずに、複数の線状導電体８のみをフォトリソグラフィにより形成する場合、上述したように、フォトリソグラフィのエッチング工程で、エッチング液を噴射した際に、線状導電体８の長手方向両端部側が長手方向中央部よりもエッチングがより進行し、線状導電体８の長手方向両端部の幅が細くなりすぎて、バスバー電極６，７と導通しなくなったり、線状導電体８の長手方向両端部の抵抗が異常に高くなったりする。これに対して、本実施形態のように、複数の線状導電体８と２つのバスバー電極６，７とを一体成形する場合には、複数の線状導電体８の長手方向中央部側から両端部側に流れたエッチング液がバスバー電極６，７でせき止められるため、線状導電体８が全体として均一にエッチング液に浸漬され、線状導電体８の長手方向両端部がより多くエッチング除去される等の不具合が起きなくなる。
【００５４】
また、本実施形態では、複数の線状導電体８と２つのバスバー電極６，７とをフォトリソグラフィにより一体成形するため、先にフォトリソグラフィで複数の線状導電体８を形成し、その後、別体のバスバー電極６，７を線状導電体８に接合する場合と比べて、線状導電体８とバスバー電極６，７との接触性が向上し、線状導電体８とバスバー電極６，７との接合部での電力損失が少なくなり、発熱効率が向上する。
【００５５】
図６の製造工程により作製された発熱体シート１２は、湾曲した一対のガラス板３，４の間に配置される。より詳細には、一方のガラス板３、接合層１３、発熱体シート１２、接合層１４、ガラス板４の順に重ね合わせて、加圧しながら加熱することで、合わせガラス１が作製される。
【００５６】
上述した導電性発熱体５のパターン形状は、種々の変更を加えることができる。例えば、線状導電体８の短手方向の幅は例えば２μｍ〜１０μｍほどしかなく、バスバー電極６，７との接続部分の強度が十分とは言えない。エッチングのばらつきによっては、線状導電体８の短手方向の幅が設計値よりも小さくなるおそれもある。そこで、図７に示すように、線状導電体８の短手方向の幅を長手方向に沿って不均一にして、長手方向中央側の幅よりも長手方向両端側の幅を意図的に大きくしてもよい。図７では、線状導電体８の長手方向両端側の短手方向の幅を、両端側に近いほど暫時に広げた例を示している。図７のパターン形状であれば、複数の線状導電体８とバスバー電極６，７との接続部分の強度が向上し、エッチングによるばらつきで線状導電体８の長手方向端部側のエッチングが想定以上に進行したとしても、端部側の短手方向の幅が小さくなることはなく、断線や抵抗値の部分的な上昇などの不具合を防止できる。
【００５７】
また、図２等に示したバスバー電極６，７は、ベタパターンで形成されているが、バスバー電極６，７の短手方向の幅は線状導電体８の短手方向の幅よりも大きいため、フォトリソグラフィで使用したレジストパターン２３との接触面積が大きくなる。このため、バスバー電極６，７上のレジストパターン２３を簡易に剥離できないおそれがある。無理にレジストパターン２３を剥離しようとすると、バスバー電極６，７が変形したり、断線したりするおそれがある。そこで、図８に示すように、バスバー電極６，７をメッシュ状にしてもよい。バスバー電極６，７のメッシュパターンは、図８に示したものに限られず、三角形、矩形等の同一形状の開口が規則的に画成されるメッシュパターン（格子状のパターン）、異形状の開口が規則的に画成されるメッシュパターン、ボロノイメッシュのような、異形状の開口が不規則的に画成されるメッシュパターン等、種々のメッシュパターンが適用可能である。例えば、ハニカムパターンである場合、電流が分岐点においてスムーズに２方向に分岐して進行方向を変えることができる。これにより、バスバー電極６，７の全体に電流が流れ易くなることで、バスバー電極６，７の導通性を向上でき、バスバー電極６，７での電力損失を低減できる。
【００５８】
バスバー電極６，７がメッシュパターンで形成されている場合、図８に示すように、各線状導電体８との接続がバスバー電極６，７の複数の分岐細線で行われることになり、バスバー電極６，７がベタパターンの場合よりも、接合強度が向上することが考えられる。よって、バスバー電極６，７がメッシュパターンの場合には、図７のように、線状導電体８の長手方向端部側の幅を広げなくてもよい場合もありうる。
【００５９】
バスバー電極６，７がメッシュパターンで形成されている場合には、バスバー電極６，７とレジストパターン２３との接触面積が小さくなるため、レジストパターン２３をバスバー電極６，７から剥離するのも容易になり、剥離時の不具合も生じなくなる。
【００６０】
その一方で、バスバー電極６，７をメッシュパターンにすると、バスバー電極６，７をベタパターンにする場合よりも導電性が悪くなり、バスバー電極６，７の抵抗値が上昇してしまうことも考えられる。そこで、図９に示すように、発熱体シート１２から導電性発熱体５を剥離してバスバー電極６，７の両面側に、ベタパターン１５，１６を接合してもよい。或いは、発熱体シート１２から導電性発熱体５を剥離し無い状態の儘、バスバー電極６，７の表面にベタパターン１５，１６を接合しても良い。バスバー電極６，７とベタパターン１５，１６との接合は、導電性の接着剤を用いればよい。なお、図９は図１のＢ−Ｂ線断面図である。また、図７や図８に示す導電性発熱体５に、図４に示した線状導電体９を設けてもよい。
【００６１】
このように、本実施形態では、導電性発熱体５を構成する複数の線状導電体８と２つのバスバー電極６，７とをフォトリソグラフィにより一体成形するため、エッチング時に複数の線状導電体８の長手方向両端部側の短手方向の幅が小さくなるなどの不具合が生じなくなり、複数の線状導電体８と２つのバスバー電極６，７との接合強度を向上できるとともに、各線状導電体８上での抵抗値の変動を抑制でき、各線状導電体８を全長にわたって均一に加熱することができる。
【００６２】
また、各線状導電体８の長手方向両端部側の短手方向の幅を長手方向中央部側の幅よりも広げることにより、よりバスバー電極６，７との接合強度が高くなり、かつエッチングのばらつきにより長手方向両端部側でのエッチングがより速く進行しても、長手方向両端部側での短手方向の幅が小さくなるおそれはない。
【００６３】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６４】
１  合わせガラス、２  フロントウィンドウ、３，４  一対のガラス板、５  導電性発熱体、６，７  バスバー電極、８  線状導電体、９  バッテリ、１１  透明基材、１２  発熱体シート、１３，１４  接合層、１５，１６  ベタパターン、２１  銅の薄膜、２２  フォトレジスト、２３  レジストパターン
【図１】
2016141579.tif 000003
【図２】
2016141579.tif 000004
【図３】
2016141579.tif 000005
【図４】
2016141579.tif 000006
【図５】
2016141579.tif 000007
【図６】
2016141579.tif 000008
【図７】
2016141579.tif 000009
【図８】
2016141579.tif 000010
【図９】
2016141579.tif 000011